(57)【要約】【課題】  設置スペースが小さくて済み、印刷版と印刷用紙の取扱作業を容易にできると共に、実際の印刷状態にできるだけ近いより正確な校正印刷を行う。【解決手段】  版支持ユニット１１における版支持体１８と紙支持ユニット２０における紙支持体２５とを移動させることにより、印刷版３０と印刷用紙４０を移動させながら、印刷版３０の転写用ローラ１３の外面通過時に、版支持体１８と共に所定の曲率となった印刷版３０の版画を印刷用紙４０に転写する。従って、大きさの異なる複数種類の印刷版３０について校正印刷することができ、しかも、安価に製作できるため、コスト的に有利であるばかりか、設置スペースの問題も一切生じない。また、印刷版が所定の曲率となって転写されるため、実際の印刷物の原寸法での転写が可能となり、正確な校正印刷物が得られ、検版精度の向上を図ることができる。【選択図】  図１
2005067008.tif 000002
【特許請求の範囲】
【請求項１】
少なくとも１つが回転駆動される複数のローラと、表面に印刷版を支持し、前記複数のローラ間を移動可能に設けられるシート状の版支持体とを備え、前記ローラの１つを転写用ローラとし、該転写用ローラの外面通過時に版支持体の曲率が所定の曲率に制御される版支持ユニットと、
前記印刷版に接触するように校正用の印刷用紙を供給可能な紙支持ユニットと
を有し、
前記印刷版と印刷用紙を移動させながら、前記印刷版の前記転写用ローラの外面通過時に、版支持体と共に所定の曲率となった前記印刷版の版画を前記印刷用紙に転写することを特徴とする校正印刷装置。
【請求項２】
前記紙支持ユニットは、少なくとも１つが回転駆動される複数のローラと、表面に校正用の印刷用紙を支持し、前記複数のローラ間を移動可能に設けられるシート状の紙支持体とを備え、前記ローラの１つを、前記版支持ユニットの転写用ローラと外面同士が対向する被転写用ローラとして構成されてなり、
前記版支持体と前記紙支持体とを移動させることにより、印刷版と印刷用紙を移動させながら、前記印刷版の前記転写用ローラの外面通過時に、版支持体と共に所定の曲率となった前記印刷版の版画を前記印刷用紙に転写することを特徴とする請求項１記載の校正印刷装置。
【請求項３】
前記転写用ローラを挟んだ、前記版支持体の移動方向の前後位置に、当該位置を通過する版支持体を押し出し可能に設けられ、前記印刷版の前記転写用ローラの外面通過時における曲率を調整可能な曲率調整部材を有することを特徴とする請求項１又は２記載の校正印刷装置。
【請求項４】
前記転写用ローラの外面通過時における印刷版の曲率を、印刷版の種類に対応して記憶した記憶装置を備え、印刷版の種類を入力することにより、印刷版の種類に適応した曲率となるように、前記曲率調整部材の押し出し量を制御する制御部を有することを特徴とする請求項３記載の校正印刷装置。
【請求項５】
前記曲率調整部材は、前記転写用ローラに平行に配置され、前記版支持体がその外面に掛け回され、軸位置を調整可能に設けられた位置可変式テンションローラであることを特徴とする請求項３記載の校正印刷装置。
【請求項６】
前記転写用ローラの外面通過時における印刷版の曲率を、印刷版の種類に対応して記憶した記憶装置を備え、印刷版の種類を入力することにより、印刷版の種類に適応した曲率となるように、前記位置可変式テンションローラの軸位置調整量を制御する制御部を有することを特徴とする請求項５記載の校正印刷装置。
【請求項７】
前記版支持体及び紙支持体が、可撓性のあるシート状の素材から形成されていることを特徴とする請求項２〜６のいずれか１に記載の校正印刷装置。
【請求項８】
転写時における印刷版と印刷用紙の位置合わせを行うべく、前記印刷版の版支持体に対する取り付け位置及び前記印刷用紙の紙支持体に対する取り付け位置の目印となる位置合わせ手段を備えていることを特徴とする請求項２〜７のいずれか１に記載の校正印刷装置。
【請求項９】
前記位置合わせ手段は、印刷版の種類に応じて、印刷版及び印刷用紙の取り付け位置の目印を表示可能に設けられていることを特徴とする請求項８記載の校正印刷装置。
【発明の詳細な説明】
【技術分野】
【０００１】
本発明は、印刷版の検査を行う際に用いる校正印刷装置に関する。
【背景技術】
【０００２】
従来より、印刷版を印刷機に装着して印刷を行う前に、印刷版が正確に作成されているか否かを検査する検版を行うようにしている。かかる検版では、作業者が目視により印刷版を検査することもあるが、例えば、多色印刷の場合には、画像を多色に分解して印刷版を作成しているため、各印刷版を単独で目視検査しても、不良や欠陥、特に、絵柄部分の見当不良を検知することが難しい。
【０００３】
このため、従来、校正印刷を行い、得られた校正印刷物を目視検査して印刷版の検版を行うようにしている。例えば、校正印刷機で機械的に校正印刷を行う場合は、印刷版をシリンダに巻き、フラットベッドに印刷用紙をセットするようにしている。或いは、手加工で校正印刷を行う場合は、印刷版をフラットな作業台の上に載置し、印刷用紙を印刷版に上から被せて、転写を行うようにしている。
【特許文献１】特開平６−１７１０７０号公報
【特許文献２】特開平５−３００３４８号公報
【特許文献３】特開２０００−２５５０３４号公報
【特許文献４】特開２００１−１８３６５号公報
【発明の開示】
【発明が解決しようとする課題】
【０００４】
しかしながら、機械的に校正印刷を行う手段の場合には、印刷版の大きさは種々異なっているのに対して、使用する校正印刷機のシリンダ径は決まっているため、特定の大きさの印刷版の場合しか、校正印刷機のシリンダに巻きつけられない。即ち、大きさの異なる複数種類の印刷版について校正印刷することはできない。また、校正印刷のためだけに、異なる径のシリンダを予め備えることはコスト的に著しく不利であるばかりか、設置スペースの問題も生じる。
【０００５】
手作業で校正印刷を行う手段の場合には、印刷版を作業台の上に載置し、かつ、印刷用紙を印刷版の上に被す作業を行うには、印刷版が極めて小さいものでない限り無理であり、多くの場合、複数人による作業になってしまう。また、印刷版と印刷用紙の両方がフラットの面で校正印刷されるため、実際の印刷機における印刷の状態とは異なってしまう。即ち、実際の印刷機はそのシリンダに印刷版を巻いて行うため、フラットな面で印刷したのでは、実際の印刷物と同じ寸法精度での転写は不可能であり、正確な校正印刷物が得られず、検版の精度の点で問題があった。特に、印刷版を作成して、検版を行う会社と、印刷を行う会社とが相違すると、印刷を行う会社での印刷物に不都合があった場合に、印刷版の修正のため、その都度、印刷を行う会社から印刷版を作成する会社へと大きな印刷版を運搬すると共に、再び納品を行う必要があった。また、フラットな作業台を用いるため、占有面積が大きく、設置スペースを広く必要とする。
【０００６】
そこで、本発明では、上記した従来の問題点に鑑み、装置の小型化を図り、設置スペースが小さくて済み、印刷版と印刷用紙の取扱作業を容易にできると共に、実際の印刷状態にできるだけ近いより正確な校正印刷を行うことができ、しかも製作コストも安価な校正印刷装置を提供することを課題とする。
【課題を解決するための手段】
【０００７】
上記した課題を解決するため、請求項１記載の本発明では、少なくとも１つが回転駆動される複数のローラと、表面に印刷版を支持し、前記複数のローラ間を移動可能に設けられるシート状の版支持体とを備え、前記ローラの１つを転写用ローラとし、該転写用ローラの外面通過時に版支持体の曲率が所定の曲率に制御される版支持ユニットと、
前記印刷版に接触するように校正用の印刷用紙を供給可能な紙支持ユニットと
を有し、
前記印刷版と印刷用紙を移動させながら、前記印刷版の前記転写用ローラの外面通過時に、版支持体と共に所定の曲率となった前記印刷版の版画を前記印刷用紙に転写することを特徴とする校正印刷装置を提供する。
請求項２記載の本発明では、前記紙支持ユニットは、少なくとも１つが回転駆動される複数のローラと、表面に校正用の印刷用紙を支持し、前記複数のローラ間を移動可能に設けられるシート状の紙支持体とを備え、前記ローラの１つを、前記版支持ユニットの転写用ローラと外面同士が対向する被転写用ローラとして構成されてなり、
前記版支持体と前記紙支持体とを移動させることにより、印刷版と印刷用紙を移動させながら、前記印刷版の前記転写用ローラの外面通過時に、版支持体と共に所定の曲率となった前記印刷版の版画を前記印刷用紙に転写することを特徴とする請求項１記載の校正印刷装置を提供する。
請求項３記載の本発明では、前記転写用ローラを挟んだ、前記版支持体の移動方向の前後位置に、当該位置を通過する版支持体を押し出し可能に設けられ、前記印刷版の前記転写用ローラの外面通過時における曲率を調整可能な曲率調整部材を有することを特徴とする請求項１又は２記載の校正印刷装置を提供する。
請求項４記載の本発明では、前記転写用ローラの外面通過時における印刷版の曲率を、印刷版の種類に対応して記憶した記憶装置を備え、印刷版の種類を入力することにより、印刷版の種類に適応した曲率となるように、前記曲率調整部材の押し出し量を制御する制御部を有することを特徴とする請求項３記載の校正印刷装置を提供する。
請求項５記載の本発明では、前記曲率調整部材は、前記転写用ローラに平行に配置され、前記版支持体がその外面に掛け回され、軸位置を調整可能に設けられた位置可変式テンションローラであることを特徴とする請求項３記載の校正印刷装置を提供する。
請求項６記載の本発明では、前記転写用ローラの外面通過時における印刷版の曲率を、印刷版の種類に対応して記憶した記憶装置を備え、印刷版の種類を入力することにより、印刷版の種類に適応した曲率となるように、前記位置可変式テンションローラの軸位置調整量を制御する制御部を有することを特徴とする請求項５記載の校正印刷装置を提供する。
請求項７記載の本発明では、前記版支持体及び紙支持体が、可撓性のあるシート状の素材から形成されていることを特徴とする請求項２〜６のいずれか１に記載の校正印刷装置を提供する。
請求項８記載の本発明では、転写時における印刷版と印刷用紙の位置合わせを行うべく、前記印刷版の版支持体に対する取り付け位置及び前記印刷用紙の紙支持体に対する取り付け位置の目印となる位置合わせ手段を備えていることを特徴とする請求項２〜７のいずれか１に記載の校正印刷装置を提供する。
請求項９記載の本発明では、前記位置合わせ手段は、印刷版の種類に応じて、印刷版及び印刷用紙の取り付け位置の目印を表示可能に設けられていることを特徴とする請求項８記載の校正印刷装置を提供する。
【発明の効果】
【０００８】
本発明の校正印刷装置によれば、版支持ユニットにおける版支持体を周方向に移動させることにより、印刷版を周方向に移動させながら、印刷版の版支持ユニットにおける転写用ローラの外面通過時に、版支持体と共に所定の曲率となった印刷版の版画を印刷用紙に転写する。従って、大きさの異なる複数種類の印刷版に対処でき、種類の異なる印刷版について校正印刷することができ、しかも、安価に製作できるため、コスト的に有利であるばかりか、占有面積を小さくすることができ、設置スペースの低減を図ることができる。
【０００９】
また、転写時に、印刷版を所定の曲率とすることができるため、印刷機の所定のシリンダに巻いた際の印刷版の曲率とほぼ同じにでき、実際の印刷物の原寸法での転写が可能となり、正確な校正印刷物が得られ、検版精度の向上を図ることができる。特に、軸位置を調整可能に設けられた位置可変式テンションローラ等の曲率調整部材を設ければ、印刷版の転写用ローラの外面通過時における曲率を調整することができ、より正確な校正印刷物が得られる。
【発明を実施するための最良の形態】
【００１０】
以下、図面に示した実施形態に基づいて本発明を更に詳しく説明する。本発明の校正印刷装置は、版支持ユニットと紙支持ユニットとを有し、版支持ユニットにおける版支持体と紙支持ユニットにおける紙支持体とを移動させることにより、印刷版と校正用の印刷用紙を移動させながら、印刷版の版支持ユニットにおける転写用ローラの外面通過時に、版支持体と共に所定の曲率となった印刷版の版画を印刷用紙に転写する。
【００１１】
図１に基づき本発明の一実施形態に係る校正印刷装置を説明する。この校正印刷装置１の図示しない本体フレームには、版支持ユニット１１と紙支持ユニット２０とが配設されており、該本体フレームには、版支持ユニット１１と紙支持ユニット２０との作動を制御する制御部を内蔵した図示しない制御盤が設けられている。上記の版支持ユニット１１は、この図では、下部位置に配置されており、本体フレームに回転自由に支持される複数（本実施形態では６つ）のローラ１２〜１７と、表面に印刷版３０を支持し、６つのローラ１２〜１７間を周方向に移動可能に設けられるシート状の版支持体１８とを備えている。この場合、各ローラ１２〜１７はその回転軸が互いに略平行となるように配設され、かつ、ローラ１２〜１７同士が側面から見て多角形状をなすような位置関係で配設される。また、後述するタイミングベルト１９ａ，１９ｂに一定に張力を作用させるテンションローラとして機能するローラ１７がローラ１２，１６間位置に配設される。
【００１２】
各ローラ１２〜１７の両端部にはそれぞれタイミングプーリ部ａ，ｂが設けられ、一方の端部のタイミングプーリ部ａにはタイミングベルト１９ａが巻き掛けられ、他方の端部のタイミングプーリ部ｂにはタイミングベルト１９ｂが巻き掛けられている。なお、タイミングプーリ部ａ，ｂ、タイミングベルト１９ａ，１９ｂに代えて、スプロケット、チェーンを用いても良い。
【００１３】
複数のローラ１２〜１７のうちの任意のローラ、本実施形態ではローラ１３の回転軸には、図示しない回転モータ等の回転駆動手段が連結され、該回転駆動手段の回転駆動により、ローラ１３が回転駆動され、その回転駆動力はタイミングベルト１９ａ，１９ｂを介して各タイミングプーリ部ａ，ｂに伝達されて、全てのローラ１２〜１７が回転される。なお、ローラ１３は転写用ローラとして構成されている。
【００１４】
そして、上述した版支持体１８は、例えば、ゴム等の可撓性のあるシート状の素材から方形状に形成されており、左右の両端部が上記左右のタイミングベルト１９ａ，１９ｂに固定取付され、タイミングベルト１９ａ，１９ｂの移動によって、各ローラ１２〜１７の外面を通過しながら図１の矢印で示す版支持ユニット１１の周方向に回転移動される。この場合、版支持体１８の転写用ローラ１３の外面通過時に、該版支持体１８の曲率が所定の曲率に制御されるようになっている。
【００１５】
即ち、転写用ローラ１３を挟んでその両側に設けられた２つのローラ１２，１４は、転写用ローラ１３の外面通過時における曲率を調整可能な曲率調整部材としての位置可変式テンションローラとして機能するものであり、軸位置を調整することで、その外面を通過する版支持体１８を押し出し可能に設けられる。位置可変式テンションローラ１２，１４は、軸直角な方向にスライド自由に設けられ、図示しないシリンダ等のスライド手段によりスライドされ、任意のスライド位置で固定保持されるようになっている。なお、曲率調整部材はこの位置可変式テンションローラ１２，１４に限らず他のものであっても良い。
【００１６】
一方、紙支持ユニット２０は、本実施形態では、上記版支持ユニット１１に対して相対的に上部位置に配置されており、本体フレームに回転自由に支持される複数（本実施形態では４つ）のローラ２１〜２４と、表面に印刷用紙４０を支持し、４つのローラ２１〜２４間を周方向に移動可能に設けられるシート状の紙支持体２５とを備えている。各ローラ２１〜２４はその回転軸が互いに略平行となるように配設され、ローラ２１〜２４同士が側面から見て略多角形状をなすような位置関係で配設される。また、後述するタイミングベルト２６ａ，２６ｂに一定に張力を作用させるテンションローラとして機能するローラ２４がローラ２１，２３間位置に配設される。
【００１７】
版支持ユニット１１と同様に、各ローラ２１〜２４の両端部にはそれぞれタイミングプーリ部ａ，ｂが固定され、一方の端部のタイミングプーリ部ａには一方のタイミングベルト２６ａが巻き掛けられ、他方の端部のタイミングプーリ部ｂには他方のタイミングベルト２６ｂが巻き掛けられている。なお、この場合も、タイミングプーリ部ａ，ｂ、タイミングベルト２６ａ，２６ｂに代えて、スプロケット、チェーンを用いても良い。任意のローラ、本実施形態ではローラ２３の回転軸には、回転モータ等の回転駆動手段が連結され、該回転駆動手段の回転駆動により、該ローラ２３が回転駆動され、その回転駆動力はタイミングベルト２６ａ，２６ｂを介して各タイミングプーリ部ａ，ｂに伝達されて、全てのローラ２１〜２４が回転される。また、ローラ２３は、版支持ユニット１１の転写用ローラ１３と外面同士が対向する被転写用ローラとして構成されている。
【００１８】
そして、上述した紙支持体２５も、版支持体１８と同じようにゴム等の可撓性のあるシート状の素材から方形状に形成されており、左右の両端部が上記左右のタイミングベルト２６ａ，２６ｂに固定取付され、タイミングベルト２６ａ，２６ｂの移動によって、各ローラ２１〜２４外面を通過しながら図１の矢印で示す紙支持ユニット２０の周方向に回転移動される。
【００１９】
次に、かかる校正印刷装置１を用いた校正印刷方法について説明する。先ず、版支持ユニット１１における版支持体１８の表面に印刷版３０を支持すると共に、紙支持ユニット２０における紙支持体２５の表面に印刷用紙４０を支持する。この場合、例えば、図１に示すように、印刷版３０並びに印刷用紙４０の上下の両端部に支持棒３０ａ，４０ａを予め取り付けておき、この支持棒３０ａ，４０ａの両端部を版支持体１８の表面並びに紙支持体２５の表面に予め取り付けておいた支持環１８ａ，２５ａに差し込んで係合し、印刷版３０並びに印刷用紙４０を支持する。
【００２０】
印刷版３０並びに印刷用紙４０をセットしたならば、本体フレームに付設された制御盤を操作して、２つのユニット１１，２０における回転駆動手段を駆動させると、両ユニット１１，２０における全てのローラ１２〜１７，２１〜２４が回転し、タイミングベルト１９ａ，１９ｂ、２６ａ，２６ｂの移動によって、印刷版３０が各ローラ１２〜１７の外面を通過しながら版支持ユニット１１の周方向に回転移動され、移動途中でインキ供給手段により自動で或いは手動でインキが供給されると共に、印刷用紙４０が各ローラ２１〜２４外面を通過しながら紙支持ユニット２０の周方向に回転移動される。
【００２１】
そして、印刷版３０と印刷用紙４０とは、それぞれのユニット１１，２０における転写用ローラ１３と被転写用ローラ２３の外面を互いに接触しながら通過し、そのときに、版支持体１８と共に所定の曲率となった印刷版３０の版画が印刷用紙４０に転写される。なお、インキ供給手段としては、例えば、図１に示すように、ローラ１６と対向して設けたインキ供給ローラ７０から構成することができ、印刷版３０がローラ１６とインキ供給ローラ７０との間を通過するときに、印刷版３０にインキが塗布される。
【００２２】
ここで、位置可変式テンションローラ１２，１４を、軸直角な方向にスライドして、軸位置を調整し、版支持体１８の移動方向の前後位置を通過する版支持体１８を押し出すことで、版支持体１８の転写用ローラ１３の外面通過時における、該版支持体１８の曲率を所定の曲率に制御できる。例えば、位置可変式テンションローラを図２のａ方向に動かすとタイミングベルト１９ａ，１９ｂがｃの状態となって曲率が小さくなり、同図のｂ方向に動かすとタイミングベルト１９ａ，１９ｂがｄの状態となって曲率が大きくなる。
【００２３】
この場合、転写用ローラ１３の外面通過時における印刷版３０の曲率を、印刷版３０の種類に対応して記憶した記憶装置と、この種類に適応した曲率を該記憶装置から読み出し、曲率調整部材の押し出し量、即ち、本実施形態では位置可変式テンションローラ１２，１４の軸位置調整量を制御する制御部とを備えた構成とすることが好ましい。これにより、印刷版３０の種類を、上記した制御盤を操作して或いは任意の入力手段を用いて入力するだけで、所定の印刷機のシリンダに適応した曲率に容易に調整することができる。
【００２４】
また、転写時における印刷版３０と印刷用紙４０の位置合わせを行うべく、印刷版３０の版支持体１８に対する取り付け位置及び印刷用紙４０の紙支持体２５に対する取り付け位置の目印となる位置合わせ手段を備えるのが好ましい。この場合、位置合わせ手段として、印刷版の種類に応じて、印刷版及び印刷用紙の種々異なる取り付け位置の目印をそれぞれ表示可能なＬＥＤなどのランプを用いることができる。また、光センサや位置センサなど各種のセンサを用いて印刷版や印刷用紙の端部位置を検出するような構成とすることもできる。また、多色印刷の場合は、印刷色の異なる複数の印刷版３０を順次交換し、これに合わせて使用するインキ供給手段も選択切り換えして用い、上述したような動作を繰り返し行って、多色の重ね刷りを行い、校正印刷物を得る。そして、得られた校正印刷物を目視検査して印刷版３０の検版を行う。
【００２５】
かかる校正印刷装置１は、版支持ユニット１１における版支持体１８と紙支持ユニット２０における紙支持体２５とを移動させることにより、印刷版３０と印刷用紙４０を周方向に移動させながら、印刷版３０の版支持ユニット１１における転写用ローラ１３の外面通過時に、版支持体１８と共に所定の曲率となった印刷版３０の版画を印刷用紙４０に転写することができ、版支持体１８の表面に印刷版３０を支持する構成であるため、大きさの異なる複数種類の印刷版３０に対処でき、種類の異なる印刷版３０について校正印刷することができる。しかも、本校正印刷装置１は安価に製作できるため、コスト的に有利であるばかりか、従来のようなシリンダが不要であると共に、フラットな作業台を用いる必要がなく、占有面積を小さくすることができ、設置スペースの低減を図ることができる。
【００２６】
また、版支持体１８の表面に印刷版３０を支持し、紙支持体２５の表面に印刷用紙４０を支持すれば良いだけであるから、印刷版３０や印刷用紙４０が大きくても問題なく取扱うことができ、取扱作業の人数の低減を図れる。さらに、所定の曲率となった印刷版３０の版画を印刷用紙４０に転写することができるため、校正印刷物は、実際の印刷物の原寸法に極めて近い正確な状態で得られ、検版精度の向上を図ることができる。特に、軸位置を調整可能に設けられた位置可変式テンションローラ１２，１４等の曲率調整部材を設ければ、印刷版３０の転写用ローラ１３の外面通過時における曲率を調整することができ、より正確な校正印刷物が得られる。
【００２７】
また、本実施形態においては、印刷版３０の曲率を、印刷版３０の種類に対応して記憶装置に記憶しておき、印刷版３０の種類を入力することにより、印刷版３０の種類に適応した曲率となるように、位置可変式テンションローラ１２，１４の軸位置調整量を制御するようにしているため、印刷版３０の種類が変化しても、印刷版３０の種類を入力すれば、この種類に適応した最適な曲率となるように、自動的に位置可変式テンションローラ１２，１４の軸位置調整量を制御でき、熟練を要することなく、容易に最適な曲率を得られる。
【００２８】
なお、上記の実施形態では、タイミングベルト１９ａ，１９ｂ、２６ａ，２６ｂの移動によって、版支持体１８及び紙支持体２５を介して印刷版３０及び印刷用紙４０が回転移動されるように構成したが、図３に示すように、版支持ユニット１１のローラ１２〜１７及び紙支持ユニット２０のローラ２１〜２４にそれぞれ巻き掛けた幅広のベルト部材５０，６０で版支持体及び紙支持体自体を兼ねるようにし、ベルト部材５０，６０の移動によって、該ベルト部材５０，６０の表面に直接装着した印刷版３０及び印刷用紙４０が回転移動されるように構成しても良い。
【００２９】
また、版支持ユニット１１のローラ１２〜１７及び紙支持ユニット２０のローラ２１〜２４をいずれも、側面から見て多角形状となるような位置関係で配置しているが、転写用ローラとなるローラ１３、位置可変式テンションローラ１２，１４及び被転写用ローラとなるローラ２３を備えている限り、その使用本数等は限定されるものではない。また、版支持体１８及び紙支持体２５を、転写用ローラとなるローラ１３と被転写用ローラとなるローラ２３との間に送り込むことができれば、他のローラの配置は限定されるものではない。但し、上記のように側面から見て多角形状（より円に近い配置も含む）等とすれば、版支持体１８及び紙支持体２５が周方向に移動することになるため、占有面積の省スペース化に資する。
【００３０】
また、上記実施形態においては、紙支持ユニット２０として、複数のローラを備え、タイミングベルト又は幅広のベルト部材を駆動させて、紙支持体２５を周方向に移動させている。しかしながら、本発明においては、版支持体１８に支持される印刷版３０を、転写時に所定の曲率で支持できればよく、紙支持ユニット２０としては、例えば、段ボール紙等の印刷用紙を平らな状態で直線的に供給し、転写時に印刷版３０に接触させることができる機構であってもよい。但し、上記実施形態のように、印刷用紙も周方向に移動する構成とすれば、装置全体の占有面積を小さくでき、省スペース化の点で好ましい。
【００３１】
さらに、上記実施形態においては、版支持ユニット１１を下部に配置し、紙支持ユニット２０を上部に配置しているが、例えば、逆に配置しても良く、それぞれその位置関係は限定されるものではない。また、版支持ユニット１１に設けた版支持体の表面に沿って移動し、任意のマーキング部材により、版支持ユニット１１の所定位置に印刷版をセットする位置をマーキングして指示できる位置合わせ手段としての走査装置を搭載することもできる。マーキング部材としては、ペンなどによって版支持体に直接マークを付ける部材を用いることもできるし、ピアノ線などの線部材を付設し、この線部材の位置により印刷版をセットする位置の目印とすることもできる。かかる走査装置を設けた場合には、例えば、コンピュータを用いて、印刷版をセットする位置を正確に指示することができる。
【図面の簡単な説明】
【００３２】
【図１】図１は、本発明の一実施形態に係る校正印刷装置の概略斜視図である。
【図２】図２は、上記実施形態に係る校正印刷装置における曲率調整方法を示す図である。
【図３】図３は、本発明の他の実施形態に係る校正印刷装置の概略斜視図である。
【符号の説明】
【００３３】
１  校正印刷装置
１１  版支持ユニット
１２，１４〜１７  ローラ
１３  転写用ローラ
１８  版支持体
２０  紙支持ユニット
２１，２２，２４  ローラ
２３  被転写用ローラ
２５  紙支持体
３０  印刷版
４０  印刷用紙
５０，６０  ベルト部材
【図１】
2005067008.tif 000003
【図２】
2005067008.tif 000004
【図３】
2005067008.tif 000005